(57)【要約】【課題】  容器口部を密封するための環状プラグが天板部の周辺部分に形成され、且つ、天板部の中央部分に形成された貫通孔が、少なくとも容器内面側に樹脂層を有する破断可能なシート部材で塞がれている簡易開口式容器蓋について、天板部の下面側にシート部材を配設して、その端部を蓋体に埋設させても、環状プラグによる密封性が損なわれたり、環状プラグが破損したりしないようにする。【解決手段】  容器口部を密封するための環状プラグ１５が天板部１１の下面側の周辺部分に形成され、且つ、天板部１１の中央部分に形成された貫通孔１８を塞ぐように、ストローでの押圧により破断可能で少なくとも容器内面側に樹脂層を有するなシート部材１９が、天板部１１の下面側に配設されている簡易開口式容器蓋１において、環状プラグ１５の下部に外方に膨出する肉厚部分１５ａを形成し、この肉厚部分１５ａの内面側に、シート部材１９の端部１９ａを埋設する。【選択図】  図１
2006160350.tif 000002
【特許請求の範囲】
【請求項１】
容器口部を密封するための環状プラグが天板部の下面側の周辺部分に形成され、且つ、天板部の中央部分に形成された貫通孔を塞ぐように、ストローでの押圧により破断可能で少なくとも容器内面側に樹脂層を有するシート部材が、天板部の下面側に配設されている簡易開口式容器蓋において、環状プラグの下部に外方に膨出する肉厚部分が形成され、この肉厚部分の内面側に、シート部材の端部が埋設されていることを特徴とする簡易開口式容器蓋。
【請求項２】
容器口部を密封するための環状プラグが天板部の下面側の周辺部分に形成され、且つ、天板部の中央部分に形成された貫通孔を塞ぐように、ストローでの押圧により破断可能で少なくとも容器内面側に樹脂層を有するシート部材が、天板部の下面側に配設されている簡易開口式容器蓋において、環状プラグよりも内側で天板部の下面側に、シート部材の端部が埋設されていることを特徴とする簡易開口式容器蓋。
【請求項３】
天板部の貫通孔の内周面に、上に行くほど内径が大きくなり、且つ、容器蓋の軸線方向に対して１５〜４５°の範囲で傾斜するように傾斜面が形成されていることを特徴とする請求項１又は２に記載の簡易開口式容器蓋。
【請求項４】
天板部の貫通孔を上方から覆うためのオーバーキャップが、ヒンジ部分を介して容器蓋の天板部と一体的に形成されていることを特徴とする請求項１乃至３の何れかに記載の簡易開口式容器蓋。
【発明の詳細な説明】
【技術分野】
【０００１】
本発明は、天板部の中央部分に形成された貫通孔を、ストローでの押圧により破断可能なシート部材で塞ぐことにより、容器口部から蓋を取り外すことなく、ストローの挿通により容器内の飲料を飲むことができるようにした簡易開口式の容器蓋に関する。
【背景技術】
【０００２】
飲料が充填された容器の口部に装着される蓋体に対して、その天板部の中央部分に貫通孔を形成し、これをストローでの押圧により破断可能なシート部材で塞ぐことにより、ストローを挿通できる簡易開口部を形成して、容器口部から蓋を取り外すことなく、ストローの挿通により容器内の飲料を飲めるようにするということは、例えば、下記の特許文献１，２等により従来公知となっている。一方、飲料が充填された容器の口部に装着される蓋体について、密封用の環状プラグとして筒状のシール壁が一体的に形成されている蓋体に対して、その天板部の下面側にシート部材であるバリアフィルムを配設する場合に、フィルムの端部（外端縁部）を蓋体のシール壁内に埋没させるということが下記の特許文献３により従来公知となっている。
【特許文献１】特開２００２−２５５２０３号公報
【特許文献２】特開２００４−２６２０６号公報
【特許文献３】特開２００２−５９９４８号公報
【発明の開示】
【発明が解決しようとする課題】
【０００３】
ところで、上記のようなストローを挿通できる簡易開口部を備えた従来公知の簡易開口式容器蓋では、天板部の中央部分に形成された貫通孔を、ストローでの押圧により破断可能なシート部材で塞ぐことにより、蓋体の天板部に簡易開口部を形成しているが、この簡易開口部のシート部材については、これを無断で剥がして再び貼り付けるような不正行為を確実に防止するという観点からして、蓋体の天板部の上面側よりも下面側に配設しておく方が好ましい。
【０００４】
そこで、シート部材を蓋体の天板部の下面側に配設しようとすると、上記の特許文献２に開示されたような、蓋体の天板部が平坦で、シート部材（ラミネートフィルム）の周縁部を別体の膜固定部材により天板部に押え固定している場合はともかくも、上記の特許文献１に開示されたような、容器口部を密封するための環状プラグ（円筒状シール片）が天板部の下面側に一体的に形成された蓋体の場合には、シート部材の端面が容器内で露出することとなる。
【０００５】
そのようにシート部材の端面が容器内に露出すると、アルミ箔のような金属箔に樹脂被膜を被覆したガスバリアー性のあるフィルムをシート部材として使用するような場合には、シート部材の金属箔の少なくとも容器内面側が樹脂被膜で被覆されていても、容器内の内容物（飲料）が、シート部材の端面で金属箔の部分と接触して、この部分で金属箔が腐食し易くなり、その結果、容器内での金属箔の腐食により内容物の品質に悪影響を与えるような虞が生じる。
【０００６】
そこで、そのような虞を回避するために、上記の特許文献３に開示された技術思想、即ち、密封用の環状プラグとして筒状のシール壁が一体的に形成された蓋体に対して、その天板部の下面側にシート部材であるバリアフィルムを配設する場合に、フィルムの端部（外端縁部）をシール壁内に埋没させる、という従来公知の技術思想を、簡易開口式の容器蓋に転用することにより、ストローでの押圧により破断可能なシート部材の端部を、蓋体の環状プラグに埋設させて、シート部材の端面での金属箔の腐食を防止するということが考えられる。
【０００７】
しかしながら、上記の特許文献３に開示された技術を簡易開口式容器蓋に単に転用して、蓋体の天板部と一体的に形成される環状プラグの付け根の部分にシート部材の端部を埋没させる場合、シート部材を金型内に置いた状態でキャップを一体成形する際に、シート部材の位置が金型内で少しでもずれると、偏ったシート部材の一端側が環状プラグの外面側にまで達してしまう虞があり、そうなると、環状プラグによる密封性が損なわれたり、或いは、シート部材により環状プラグが部分的に切断された状態となって弱化することとなる。
【０００８】
なお、密封用の環状プラグは、蓋体を容器口部に装着したときに、容器口部の内面に接触することで、付け根の部分を支点として内側に曲がるように変形するものであることから、そのような環状プラグの変形時に、上記のように環状プラグの付け根の部分がシート部材の埋設によって弱化していると、環状プラグが破損してしまうような虞がある。
【０００９】
本発明は、上記のような問題の解消を課題とするものであり、具体的には、容器口部を密封するための環状プラグが天板部の周辺部分に形成され、且つ、天板部の中央部分に形成された貫通孔が、少なくとも容器内面側に樹脂層を有する破断可能なシート部材で塞がれている簡易開口式容器蓋について、天板部の下面側にシート部材を配設して、その端部を蓋体に埋設させても、環状プラグによる密封性が損なわれたり、環状プラグが破損したりしないようにすることを課題とするものである。
【課題を解決するための手段】
【００１０】
本発明は、上記のような課題を解決するために、容器口部を密封するための環状プラグが天板部の下面側の周辺部分に形成され、且つ、天板部の中央部分に形成された貫通孔を塞ぐように、ストローでの押圧により破断可能で少なくとも容器内面側に樹脂層を有するシート部材が、天板部の下面側に配設されている簡易開口式容器蓋において、環状プラグの下部に外方に膨出する肉厚部分が形成され、この肉厚部分の内面側に、シート部材の端部が埋設されていることを特徴とするものである。
【００１１】
また、容器口部を密封するための環状プラグが天板部の下面側の周辺部分に形成され、且つ、天板部の中央部分に形成された貫通孔を塞ぐように、ストローでの押圧により破断可能で少なくとも容器内面側に樹脂層を有するシート部材が、天板部の下面側に配設されている簡易開口式容器蓋において、環状プラグよりも内側で天板部の下面側に、シート部材の端部が埋設されていることを特徴とするものである。
【発明の効果】
【００１２】
上記のような本発明の簡易開口式容器によれば、天板部の下面側の周辺部分に密封用の環状プラグが形成された簡易開口式容器蓋に対し、その天板部の下面側にシート部材を配設して、このシート部材の端部を蓋体に埋設しているが、シート部材の端部は、環状プラグの付け根の部分ではなく、環状プラグの下部の肉厚部分や、環状プラグよりも内側の天板部に埋設していることから、環状プラグによる密封性が損なわれたり、環状プラグが破損したりすることはない。
【００１３】
すなわち、シート部材の端部を環状プラグの下部の肉厚部分に埋設する場合には、シート部材を金型内に置いた状態でキャップを一体成形する際に、シート部材は途中で折れ曲がって環状プラグの下部にまで延びていることから、シート部材が金型内でずれるようなことはなく、しかも、シート部材の端部は、環状プラグの下部の肉厚部分に埋設されることから、シート部材が環状プラグの外面側にまで達して密封性を損なうようなことはなく、また、シート部材により環状プラグの付け根の部分が弱化するようなこともない。
【００１４】
一方、シート部材の端部を環状プラグよりも内側で天板部の下面側に埋設する場合には、シート部材を金型内に置いた状態でキャップを一体成形する際に、シート部材が金型内で少しずれたとしても、シート部材は環状プラグの部分に僅かに入り込む程度で済むことから、シート部材が環状プラグの外面側にまで達して密封性を損なうようなことはなく、また、シート部材により環状プラグの付け根の部分が弱化するようなこともない。
【発明を実施するための最良の形態】
【００１５】
容器口部を密封するための環状プラグが天板部の周辺部分に形成され、且つ、天板部の中央部分に形成された貫通孔が、少なくとも容器内面側に樹脂層を有する破断可能なシート部材で塞がれている簡易開口式容器蓋について、天板部の下面側にシート部材を配設して、その端部を蓋体に埋設させても、環状プラグによる密封性が損なわれたり、環状プラグが破損したりしないようにするという目的を、最良の形態として以下の各実施例に具体的に示すように、環状プラグの下部に外方に膨出する肉厚部分を形成し、この肉厚部分の内面側に、シート部材の端部を埋設したり、或いは、環状プラグよりも内側で天板部の下面側に、シート部材の端部を埋設したりするということで実現した。
【００１６】
本発明の簡易開口式容器蓋は、ＰＥＴボトルやボトル型缶等の飲料容器の容器口部に装着されるものであり、蓋本体（シート部材を除く容器蓋の本体部分）がポリエチレンやポリプロピレン等の周知の容器蓋用の合成樹脂材料から射出成形等により一体成形されるものであって、図１（Ａ）或いは図２（Ａ）に示すように、容器蓋１には、その天板部１１の下面側の周辺部分に、容器口部を密封するための環状プラグ１５が形成され、また、その天板部１１の中央部分に貫通孔１８が形成されていて、この貫通孔１８を塞ぐように、天板部１１の下面側にシート部材１９が配設されている。
【００１７】
容器蓋１の貫通孔１８を塞ぐシート部材１９は、ストローでの押圧により破断可能な薄膜のフィルムによるものであって、シート部材１９として、例えば、厚さとしては１０〜１００μｍ程度の範囲のものが好適に使用できる。また、アルミ箔等の金属箔の少なくとも容器内面側となる面に樹脂被膜をラミネートしたガスバリア性を有するフィルムを使用する場合には、金属箔にラミネートする樹脂被膜として、蓋本体の樹脂材料と同系（ポリエチレン系やポリプロピレン系）の樹脂材料を使用して、この樹脂被膜を蓋本体に融着させることで、シート部材１９を蓋本体に貼着させることができる。
【００１８】
なお、シート部材１９として使用する薄膜のフィルムについては、ストローでの押圧により容易に破断される程度の強度を有するものであれば、上記のような金属箔に樹脂被膜をラミネートしたフィルムに限らず、その他の周知の樹脂フィルムでも良く、例えば、ガスバリア性を有するシート部材として、樹脂フィルムに無機物（金属や酸化ケイ素等）を蒸着したような周知のガスバリア性フィルムを使用しても良く、また、酸素吸収性を有するシート部材として、周知の酸素吸収剤が配合された樹脂層を有するフィルムを使用しても良く、更には、それらを組み合わせた多層フィルムなどであっても良いが、少なくとも容器内面側となる面は樹脂であることが必要である。
【００１９】
上記のような本発明の簡易開口式容器蓋の具体的な各実施例について、以下に詳しく説明する。
【実施例１】
【００２０】
本実施例の簡易開口式容器蓋は、螺合により容器口部に螺着されるネジ付きのピルファープルーフキャップであって、図１（Ａ）に示すように、略円形の天板部１１の周縁からスカート部１２が垂下されたキャップ１には、スカート部１２の内面に、容器口部の外面に形成されたネジ部と螺合するネジ部１３が形成され、スカート部１２の下方に、容器口部に係止されるピルファープルーフバンド１４が切り離し可能に形成されている。
【００２１】
そして、キャップ１の天板部１１には、その下面側の周辺部分に、容器口部を密封するための密封部として、中心側から周辺側へ順次に同心円状に、容器口部の内面側に接触する環状プラグ１５と、容器口部の上端面に接触する環状の小突起１６と、容器口部の上端外縁に接触する環状のアウターリング１７とがそれぞれ形成されており、容器口部の内面側に接触する環状プラグ１５には、図１（Ｂ）に示すように、その下部（下端近傍）に外方に膨出する肉厚部分１５ａが形成されている。
【００２２】
環状プラグ１５の下部の肉厚部分１５ａについては、キャップ１を容器口部に装着した際に、環状プラグ１５は、容器口部の内面との接触により、付け根の部分１５ｂを支点として内側に曲がるように弾性変形するが、その弾性変形の反作用（環状プラグ１５の弾性復元力）により、環状プラグ１５の下部の肉厚部分１５ａの膨出した外面が、容器口部の内面側に強く圧接されることで、容器口部の内面側での密封の効果を確実なものとしている。
【００２３】
さらに、キャップ１の天板部１１には、図１（Ａ）に示すように、その中央部分に貫通孔１８が形成されており、この貫通孔１８の内周面には、上に行くほど内径が大きくなり、且つ、容器蓋の軸線方向に対して１５〜４５°の範囲で傾斜するように、摺鉢状の傾斜面１８ａが形成されている。さらに、この貫通孔１８を下側から塞ぐように、ストローでの押圧により破断可能なシート部材１９が、天板部１１の下面側に配設されている。
【００２４】
そのような本実施例の簡易開口式容器蓋では、図３（Ａ），（Ｂ）に示すように、キャップ１の天板部１１に形成された貫通孔１８を塞ぐシート部材１９をストロー３の先端で押圧し、ストロー３によりシート部材１９を破断して、ストロー３を貫通孔１８から容器内に挿通させることで、容器口部２からキャップ１を取り外すことなく、ストロー３により容器内の内容物（飲料）を吸引することができる。
【００２５】
なお、上記のようにストロー３によりシート部材１９を破断する際に、本実施例では、貫通孔１８の内周面に、図１（Ｂ）に示すように、上に行くほど内径が大きくなり、且つ、容器蓋の軸線方向に対して１５〜４５°の範囲で傾斜するように、摺鉢状の傾斜面１８ａを形成していることから、ストロー３の先端が貫通孔１８から多少ずれたとしても、ストロー３の先端が傾斜面１８ａに接触すると、傾斜面１８ａに沿って貫通孔１８に案内されるため、貫通孔１８とストロー３との位置合わせが容易になる。
【００２６】
この傾斜面１８ａについては、傾斜角度が１５°よりも小さいと、平面視での傾斜面１８ａの範囲が狭くなって、ストロー３を傾斜面１８ａの範囲内に位置合わせし難くなり、一方、傾斜角度が４５°よりも大きいと、傾斜面１８ａの傾斜が緩くなり過ぎて、ストロー３を貫通孔１８に案内するガイドとしての役割が不充分になることから、傾斜角度は１５〜４５°の範囲とするのが好ましい。
【００２７】
また、この傾斜面１８ａについては、貫通孔１８の内周面の全てを傾斜面１８ａとせずに、図１（Ｂ）に示すように、貫通孔１８の内周面の下端から０．５〜１ｍｍ程度の範囲を垂直部１８ｂとして残し、その上方を傾斜面１８ａとするのが好ましい。すなわち、貫通孔１８の内周面の上端から下端までの全てを傾斜面１８ａにすると、貫通孔１８の下端付近で天板部１１の肉厚が薄くなって、その部分の熱容量が小さくなるために、金型内にシート部材１９を置いた状態でキャップ１を一体成形する際に、貫通孔１８の下端付近でシート部材１９がキャップ１に充分に融着せず、その結果、ストロー３でシート部材１９を押し破る際に、貫通孔１８の付近でシート部材１９がキャップ１から剥離する虞がある。
【００２８】
貫通孔１８の内径（傾斜面１８ａの最少内径）については、ストローにより容器内の内容物（飲料）をスムーズに吸引するためには、ストローの外径より僅かに大きい程度にするのが好ましく、そうしないと、ストローで内容物を吸引する際に、容器の内部に外部の空気が導入され難いことで内容物をスムーズに吸引できない虞がある。一方、貫通孔１８の内径を大きくし過ぎると、落下衝撃等に対するキャップの強度が弱くなることから、貫通孔１８の内径は、ストロー２０の外径よりも１〜３ｍｍ程度大きいのが好ましい。
【００２９】
ところで、上記のような本実施例（実施例１）の簡易開口式容器蓋において、キャップ１の天板部１１の下面側から貫通孔１８を塞いでいるシート部材１９は、図１（Ｂ）に示すように、環状プラグ１５で囲まれた部分の天板部１１の下面を覆ってから、環状プラグ１５の付け根の部分１５ｂから下方に屈曲して、環状プラグ１５の内面を覆いながら下方へ延び、環状プラグ１５の下部の肉厚部分１５ａにまで達していて、シート部材１９の端部（外周縁部）１９ａは、半径方向外方へ屈曲して、肉厚部分１５ａの内面側に埋設されている。
【００３０】
そのようにシート部材１９の端部１９ａを環状プラグ１５の下部の肉厚部分１５ａに埋設させている本実施例（実施例１）の簡易開口式容器蓋によれば、シート部材１９を金型内に置いた状態でキャップ１を一体成形する際に、シート部材１９は、環状プラグ１５の付け根の部分１５ｂで折れ曲がって環状プラグ１５の下部の肉厚部分１５ａにまで延びる形状になっていることで、シート部材１９が金型内でずれるようなことはなく、シート部材１９の端部１９ａは、環状プラグ１５の下部の肉厚部分１５ａの内部に確実に埋設されることとなる。
【００３１】
そして、そのようにシート部材１９の端部１９ａを環状プラグ１５に埋設させることで、シート部材１９の剥離や脱落が生じるのを確実に防止することができ、しかも、シート部材１９が環状プラグ１５の外面側にまで達することで密封性が損なわれるようなことはなく、また、シート部材１９により環状プラグ１５の付け根の部分１５ｂが弱化することはないため、キャップを容器口部に装着した際に、環状プラグ１５が付け根の部分１５ｂから内方に曲がるように変形しても、環状プラグ１５が付け根の部分１５ｂで破損するようなことはない。
【００３２】
また、シート部材１９が、キャップ１の天板部１１だけでなく、環状プラグ１５の下部の肉厚部分１５ａ（容器口部の内面に強く密接する密封部分）にまで延びていることから、シート部材１９としてガスバリア性や酸素吸収性等の特性を有するフィルムを使用する場合には、それらの特性による効果を一層向上させることができる。
【００３３】
なお、キャップ１の天板部１１の下面側に配設されるシート部材１９が、アルミ箔等の金属箔の少なくとも容器内面側に樹脂被膜をラミネートしたガスバリア性を有するフィルムによるものである場合には、シート部材１９の端面（フィルム切断面）で箔の金属が露出していても、シート部材１９の端部１９ａが環状プラグ１５の内部に埋設されていて、シート部材１９の端面の箔の金属は容器内に露出していないため、金属箔が容器内の内容物（飲料）と接触して腐食するようなことはなく、シート部材１９の金属箔の腐食により内容物の品質に影響を与えるようなことはない。
【実施例２】
【００３４】
上記の実施例（実施例１）に示した簡易開口式容器蓋では、シート部材１９を、環状プラグ１５の下部の肉厚部分１５ａにまで延ばして、その端部１９ａを肉厚部分１５ａに埋設しているが、本実施例（実施例２）の簡易開口式容器蓋では、図２（Ａ），（Ｂ）に示すように、シート部材１９を、環状プラグ１５よりも内側に設けて、その端部１９ａを天板部１１の下面側に埋設している。なお、本実施例（実施例２）は、この点でのみ先の実施例（実施例１）と相違するものであり、その他の点については全て同じであるため、先の実施例（実施例１）との相違点に関して述べるだけで、その他の点について改めて説明することは省略する。
【００３５】
本実施例（実施例２）の簡易開口式容器蓋では、キャップ１の天板部１１の下面側から貫通孔１８を塞いでいるシート部材１９は、図２（Ｂ）に示すように、環状プラグ１５で囲まれた部分の天板部１１の下面だけを覆っており、環状プラグ１５にまで達することなく、その手前で、シート部材１９の端部（外周縁部）１９ａは、上方に屈曲して、天板部分１１の下面側に埋設されている。
【００３６】
そのようにシート部材１９の端部１９ａを環状プラグ１５よりも内側で天板部１１に埋設させている本実施例（実施例２）の簡易開口式容器蓋によれば、シート部材１９を、キャップ１の天板部１１の環状プラグ１５よりも内側の領域に設けていることで、シート部材１９が小さくてコンパクトなもので済むと共に、シート部材１９を金型内に置いた状態でキャップ１を一体成形する際に、シート部材１９が金型内で少しずれたとしても、シート部材１９は、環状プラグ１５の部分に僅かに入り込む程度で済むことになる。
【００３７】
そのため、シート部材１９が環状プラグ１５の外面側にまで達することで密封性が損なわれるようなことはなく、また、シート部材１９により環状プラグ１５の付け根の部分１５ｂが弱化することはないため、キャップを容器口部に装着した際に、環状プラグ１５が付け根の部分１５ｂから内方に曲がるように変形しても、環状プラグ１５が付け根の部分１５ｂで破損するようなことはない。なお、キャップ１の天板部１１は、環状プラグ１５に比べて肉厚であるため、シート部材１９の端部１９ａを埋没させても、それによって天板部１１の強度が大きく損なわれることはなく、落下衝撃等にも充分に耐えることができる。
【００３８】
以上、本発明の簡易開口式容器の各実施例について説明したが、本発明は、上記の各実施例に示した具体的な構造にのみ限定されるものではなく、例えば、図４に示すように、天板部１１の貫通孔１８を上方から覆うためのオーバーキャップ２０を、ヒンジ部分２１を介してキャップ１の天板部１１と一体的に形成するようにしても良く、そうすることで、シート部材の上に埃などが堆積するのを防止でき、また、異物との接触によりシート部材が破損するのを防止することができると共に、ストローによりシート部材を破断した後でも、オーバーキャップにより簡易的な再封鎖機能を持たせることができる。特に、図４に示すように、オーバーキャップ２０を深く形成すれば、ストロー３を容器内に深く挿通させた状態のまま、その上からオーバーキャップ２０を被せて簡易的に再封鎖することができる。
【００３９】
また、本発明の対象となる容器蓋については、各実施例に示したようなネジ付きのピルファープルーフキャップに限らず、スナップ係合により容器口部に嵌め込まれるスナップキャップなどであっても良く、キャップのピルファープルーフ機構についても、ピルファープルーフバンドに外面に形成された摘み片を摘んでピルファープルーフバンドを周方向に破断分離するような構造としても良い等、適宜に設計変更可能なものであることはいうまでもない。
【図面の簡単な説明】
【００４０】
【図１】本発明の簡易開口式容器蓋の一実施例（実施例１）について、（Ａ）全体を示す部分断面側面図、および、（Ｂ）その一部を拡大して示す縦断面図。
【図２】本発明の簡易開口式容器蓋の他の実施例（実施例２）について、（Ａ）全体を示す部分断面側面図、および、（Ｂ）その一部を拡大して示す縦断面図。
【図３】図１に示した容器蓋について、（Ａ）ストローによりシート部材を破断し始めるときの状態を示す部分断面側面図、および、（Ｂ）シート部材を破断してストローを容器内に挿通させたときの状態を示す縦断面図。
【図４】図１に示した容器蓋の天板部にオーバーキャップを一体的に形成した更に他の実施例について、ストローを容器内に深く挿通させ、オーバーキャップを開けた状態を示す縦断面図。
【符号の説明】
【００４１】
１        キャップ（容器蓋）
２        容器口部
３        ストロー
１１      天板部
１５      環状プラグ
１５ａ    （環状プラグの）肉厚部分
１８      貫通孔
１８ａ    （貫通孔の）傾斜面
１９      シート部材
１９ａ    （シート部材の）端部
２０      オーバーキャップ
２１      ヒンジ部分
【図１】
2006160350.tif 000003
【図２】
2006160350.tif 000004
【図３】
2006160350.tif 000005
【図４】
2006160350.tif 000006